【手続補正書】
【提出日】平成19年10月16日(2007.10.16)
【手続補正１】
【補正対象書類名】明細書
【補正対象項目名】特許請求の範囲
【補正方法】変更
【補正の内容】
【特許請求の範囲】
【請求項１】  デジタル／アナログ組合せカラープルーフィング方法であって、
（ａ）受容体サポートおよび画像受容層を含む受容体エレメント上にカラー熱画像をデジタル的に形成するステップと、
（ｂ）前記デジタル的に形成された画像と、剥離面および熱可塑性ポリマー層を有するサポートを含むフィルムとを張り合わせるステップと、
（ｃ）前記サポートを除去することによって前記熱可塑性ポリマーを露出させ、前記画像受容層と前記熱可塑性ポリマー層の間に前記デジタル的に形成された画像を納めるステップと、
（ｄ）前記露出したポリマー層にアナログカラー画像を張り付けて、デジタル画像とアナログ画像の組合せを含むカラープルーフィング刷りを作成するステップとを含み、
前記アナログ画像は、
（ｉ）隔離トランスペアレンシを介して感光エレメントを化学線にイメージ通りに露出するステップであって、
前記感光エレメントは、
（１）第１の感光層と
（２）剥離面を有するサポートと
を備えたステップと、
（ｉｉ）調色材料により調色して、第１の感光層の上にアナログ着色画像を形成するステップによって作成され、
前記隔離トランスペアレンシは、
（１）（ａ）裏打ちフィルムと、
（ｂ）裏打ちフィルムに接触するトランスペアレンシ形成エレメントであっ
て、
（１）蓋用シートと、
（２）ブラック着色層と、
（３）サポートと
を含むエレメントと
を備えた集成体を真空下でレーザ放射にイメージ通りに露出するステップと、
（２）トランスペアレンシ形成エレメント（ｂ）において前記サポートから前記蓋用シートを分離することによって、前記ブラック着色層の露出されていない領域を前記トランスペアレンシ形成エレメントのサポート上に残して前記隔離トランスペアレンシを形成するステップによって順次作成される
ことを特徴とするデジタル／アナログ組合せカラープルーフィング方法。
【請求項２】  デジタル／アナログ組合せカラープルーフィング方法であって、
（ａ）受容体サポートおよび画像受容層を含む受容体エレメント上にカラー熱画像をデジタル的に形成するステップと、
（ｂ）前記デジタル的に形成された画像と、剥離面および熱可塑性ポリマー層を有するサポートを含むフィルムとを張り合わせるステップと、
（ｃ）前記サポートを除去することによって前記熱可塑性ポリマーを露出させ、前記画像受容層と前記熱可塑性ポリマー層の間に前記デジタル的に形成された画像を納めるステップと、
（ｄ）前記露出したポリマー層にアナログカラー画像を張り付けて、デジタル画像とアナログ画像の組合せを含むカラープルーフィング刷りを作成するステップとを含み、
前記アナログカラー画像は、
（ｉ）（１）剥離面を有するキャリヤエレメントであって、水性液顕色に対して耐性を有するキャリヤエレメントと、
（２）第１の接着層と、
（３）基本的に水性液顕色性感光性配合物から構成される無着色の第１の感光層と
を順次含む感光エレメントに少なくとも１つの水性着色剤含有配合物を塗布するステップにおいて、前記水性着色剤含有配合物は（３）に塗布されるステップと、
（ｉｉ）水性着色剤含有配合物を塗布したステップ（ｉ）からの感光エレメントを化学線にイメージ通りに露出して、前記無着色の第１の感光層およびそれを覆う前記水性着色剤含有配合物のなかにイメージ通りに露出された領域および露出されていない領域を形成するステップと、
（ｉｉｉ）水性液で洗浄することによりステップ（ｉｉ）からの前記露出されたエレメントを顕色させることによって、前記イメージ通りに露出された領域またはイメージ通りに露出されていない領域を除去して、第１のアナログ着色画像を作成するステップと
を順次含むステップによって作成され、
前記イメージ通りに露出するステップ（ｉｉ）は隔離トランスペアレンシを介して行われ、前記隔離トランスペアレンシは、
（１）（ａ）裏打ちフィルムと、
（ｂ）前記裏打ちフィルムに接触するトランスペアレンシ形成エレメントで
あって、
（ｉ）蓋用シートと、
（ｉｉ）ブラック着色層と、
（ｉｉｉ）サポートと
を含むエレメントと
を備えた集成体を真空下でレーザ放射にイメージ通りに露出するステップと、
（２）トランスペアレンシ形成エレメント（ｂ）においてサポートから蓋用シートを分離することによって、前記ブラック着色層の露出されていない領域を前記トランスペアレンシ形成エレメントに残して、隔離トランスペアレンシを形成するステップ
によって順次作成される
ことを特徴とするデジタル／アナログ組合せカラープルーフィング方法。
【手続補正２】
【補正対象書類名】明細書
【補正対象項目名】０２１３
【補正方法】変更
【補正の内容】
【０２１３】
原色（イエロー、マゼンタ、シアンおよびブラック）を表す４つの中間色調熱デジタル画像から構成されるアナログおよびデジタル組合せ五色画像と、１つの従来的アナログウォータプルーフ（登録商標）ＣＶ画像（パントン（登録商標）グリーン３４０）を、溶液２ａから調製された熱可塑性ポリマー層をそれらの間にはさむようにして組み合わせた。
本発明は以下の実施の態様を含むものである。
１．（ａ）受容体サポートおよび画像受容層を含む受容体エレメント上にカラー熱画像をデジタル的に形成するステップと、
（ｂ）前記デジタル的に形成された画像と、剥離面および熱可塑性ポリマー層を有するサポートを含むフィルムとを張り合わせるステップと、
（ｃ）前記サポートを除去することによって前記熱可塑性ポリマーを露出させ、前記画像受容層と前記熱可塑性ポリマー層の間に前記デジタル的に形成された画像を納めるステップと、
（ｄ）前記露出したポリマー層にアナログカラー画像を張り付けて、デジタル画像とアナログ画像の組合せを含むカラープルーフィング刷りを作成するステップとを含むことを特徴とするデジタル／アナログ組合せカラープルーフィング方法。
２．（ｅ）前記露出した熱可塑性ポリマー層の上のアナログ画像を永久基板に張り付けるステップと、任意に
（ｆ）前記受容体サポートを剥離するステップとをさらに含むことを特徴とする前記１に記載のカラープルーフィング方法。
３．前記受容体エレメント上の前記デジタル形成カラー画像は、
（１）（Ａ）熱イメージャブル層を有する熱イメージャブルエレメントと、
（Ｂ）前記熱イメージャブルエレメントの前記熱イメージャブル層に接触する受容体エレメントであって、
（ａ）画像受容層と、
（ｂ）受容体サポートとを含む受容体エレメントを備えたレーザブル集成体をレーザ放射にイメージ通りに露出することによって、前記画像受容層の前記露出された領域を前記受容体エレメントに転写して、デジタル形成カラー画像を形成するステップと、
（２）前記熱イメージャブルエレメント（Ａ）を前記受容体エレメント（Ｂ）から分離することによって、前記受容層の前記画像受容層の上にデジタル形成カラー画像を露出させるステップを含むステップによって作成されることを特徴とする前記１に記載のカラープルーフィング方法。
４．前記アナログカラー画像は、
（Ａ）（１）剥離面を有するキャリヤエレメントであって、水性液顕色に対し
て耐性を有するキャリヤエレメントと、
（２）第１の接着層と、
（３）基本的に水性液顕色性感光性配合物から構成される無着色の第１の感光層とを順次含む感光エレメントに少なくとも１つの水性着色剤含有配合物を塗布するステップにおいて、前記水性着色剤含有配合物は（３）に塗布されるステップと、
（Ｂ）水性着色剤含有配合物を塗布したステップ（Ａ）からの感光エレメントを化学線にイメージ通りに露出して、前記無着色の第１の感光層およびそれを覆う前記水性着色剤含有配合物のなかにイメージ通りに露出された領域および露出されていない領域を形成するステップと、
（Ｃ）水性液で洗浄することによりステップ（Ｂ）からの前記露出されたエレメントを顕色させることによって、前記イメージ通りに露出された領域またはイメージ通りに露出されていない領域を除去して、第１のアナログ着色画像を作成するステップとを順次含むステップによって作成されることを特徴とする前記１に記載のカラープルーフィング方法。
５．前記イメージ通りに露出するステップ（Ｂ）は隔離トランスペアレンシを介して行われ、前記隔離トランスペアレンシは、
（１）（Ｄ）裏打ちフィルムと、
（Ｅ）前記裏打ちフィルムに接触するトランスペアレンシ形成エレメントで
あって、
（ａ）蓋用シートと、
（ｂ）ブラック着色層と、
（ｃ）サポートとを含むエレメントとを備えた集成体を真空下でレーザ放射にイメージ通りに露出するステップと、
（２）トランスペアレンシ形成エレメント（Ｅ）においてサポートから蓋用シートを分離することによって、前記ブラック着色層の露出されていない領域を前記トランスペアレンシ形成エレメントに残して、隔離トランスペアレンシを形成するステップによって順次作成されることを特徴とする前記４に記載のカラープルーフィング方法。
６．前記アナログ画像は、
（ａ）隔離トランスペアレンシを介して感光エレメントを化学線にイメージ通りに露出するステップであって、前記感光エレメントは、
（１）第１の感光層と
（２）剥離面を有するサポートとを備えたステップと、
（ｂ）調色材料により調色して、第１の感光層の上にアナログ着色画像を形成するステップによって作成されることを特徴とする前記１に記載のカラープルーフィング方法。
７．前記隔離トランスペアレンシは、
（１）（Ａ）裏打ちフィルムと、
（Ｂ）裏打ちフィルムに接触するトランスペアレンシ形成エレメントであっ
て、
（ａ）蓋用シートと、
（ｂ）ブラック着色層と、
（ｃ）サポートとを含むエレメントとを備えた集成体を真空下でレーザ放射にイメージ通りに露出するステップと、
（２）トランスペアレンシ形成エレメント（Ｂ）において前記サポートから前記蓋用シートを分離することによって、前記ブラック着色層の露出されていない領域を前記トランスペアレンシ形成エレメントのサポート上に残して前記隔離トランスペアレンシを形成するステップによって順次作成されることを特徴とする前記６に記載のカラープルーフィング方法。
８．（ａ）結晶性ポリマー層に形成されたレーザ生成中間色調ドットカラー熱画像であって、前記結晶ポリマーを第１の仮キャリヤに配置させて形成された熱画像と、
（ｂ）デジタル形成カラー画像が前記結晶性ポリマーの間に納められるように、前記結晶性ポリマー層に張り付けられた熱可塑性ポリマー層と、
（ｃ）前記熱可塑性ポリマーに張り付けられたアナログ画像であって、第２の仮キャリヤ上に存在するアナログ画像とを備えたことを特徴とする画像プルーフィングシステム。
９．前記画像受容層は５０から６４℃の範囲の融点を有することを特徴とする前記１、３または８に記載のカラープルーフィング方法。
１０．前記画像受容層はポリカプロラクトンであることを特徴とする前記１、３または８に記載のカラープルーフィング方法。
１１．前記熱可塑性ポリマーは３０から１５０℃の範囲のＴｇを有することを特徴とする前記１、２、３または８に記載のカラープルーフィング方法。
１２．前記熱可塑性ポリマー層はポリエステルであることを特徴とする前記１、２、３または８に記載のカラープルーフィング方法。
１３．ステップ（１）および（２）を少なくとも一度繰り返し、各々の繰り返しにおいて異なる熱イメージャブル層を同一の受容体エレメントと組み合わせて使用することによって、前記受容体エレメント上に多色画像を設けることを特徴とする前記３に記載のカラープルーフィング方法。
１４．前記熱イメージャブルエレメントはサポートおよび加熱層を含むベースエレメントを備えたことを特徴とする前記３に記載のカラープルーフィング方法。
１５．前記熱イメージャブルエレメントは前記サポートと前記加熱層の間に下塗り層を含むことを特徴とする前記１４に記載のカラープルーフィング方法。
１６．前記熱イメージャブル層は着色剤およびポリマーバインダを含むことを特徴とする前記３に記載のカラープルーフィング方法。
１７．前記着色剤は分散顔料であることを特徴とする前記１６に記載のカラープルーフィング方法。
１８．ステップ（１）および（２）を４度繰り返し、前記デジタル画像は四色中間色調ドット熱画像であり、１つまたは複数のアナログ画像はそれぞれ色が異なることを特徴とする前記３に記載の方法。